(57)【要約】【課題】本発明の課題は、建築板表面のブロック調模様に、繊細な変化を与えて面白味のある意匠とすることにある。【解決手段】縦横目地溝２，３によって区画された凸ブロック４の複数個を縦横に配列したブロック調模様を有する建築板１であって、該凸ブロック４として表面に多数の筋状凸部模様５Ａ，５Ｂ，５Ｃ，５Ｄが種々の方向で形成されている異方向模様ブロック４Ｃ，４Ｆが全体的または部分的に配置されている建築板１を提供する。該異方向模様ブロック４Ｃ，４Ｆは全体的または部分的に配置されているので、光があたった場合、陰影、表情が繊細に変化する。【選択図】  図１
2004190436.tif 000002
【特許請求の範囲】
【請求項１】
縦横目地溝によって区画された凸ブロックの複数個を縦横に配列したブロック調模様を有する建築板であって、該凸ブロックとして表面に多数の筋状凹部模様が種々の方向で形成されている異方向模様ブロックが全体的または部分的に配置されていることを特徴とする建築板
【請求項２】
該異方向模様ブロックの表面には、多数の筋状凹部模様が縦横二方向で形成されている請求項１に記載の建築板
【請求項３】
該異方向模様ブロックの表面には、多数の筋状凹部模様が右上り斜め方向と左上り斜め方向とで形成されている請求項１に記載の建築板
【請求項４】
該ブロック調模様は、表面に多数の筋状凹部模様が縦方向に形成されている縦方向模様ブロックと、表面に多数の筋状凹部模様が横方向に形成されている横方向模様ブロックと、表面に多数の筋状凹部模様が縦横二方向で形成されている異方向模様ブロックとがランダムに縦横に配列されている模様である請求項１に記載の建築板
【発明の詳細な説明】
【０００１】
【発明の属する技術分野】
本発明は例えば外壁材として使用される建築板に関するものである。
【０００２】
【従来の技術】
この種の建築板としては、縦横目地溝によって区画された凸ブロックの複数個を縦横に配列したブロック調模様を有するものが多用されている。
従来、該ブロック調模様に変化を持たせるため、表面に縦方向凹凸縞模様を付した凸ブロックＡと、表面に横方向凹凸縞模様を付した凸ブロックＢと、表面に右上り斜め凹凸縞模様を付した凸ブロックＣと、表面に左上り斜め凹凸縞模様を付した凸ブロックＤとをランダムに縦横に配列したブロック調模様を有する建築板が提供されている（例えば特許文献１参照）。
このようなブロック調模様にあっては、光の照射される角度によって、各凸ブロックＡ，Ｂ，Ｃ，Ｄの陰影、表情を異ならせて意匠に面白味を付すことを意図したものである。
【０００３】
【特許文献１】
特開２００２−２３５４２３号公報（図１，図２参照）
【０００４】
【発明が解決しようとする課題】
しかし上記凹凸縞模様は各凸ブロックについて同一であり、したがって凸ブロック単位では陰影、表情が同一になり、大まかな感じの模様となり、面白味が半減する。
【０００５】
【課題を解決するための手段】
本発明は上記従来の課題を解決する手段として、縦横目地溝(2,3) によって区画された凸ブロック(4) の複数個を縦横に配列したブロック調模様を有する建築板(1) であって、該凸ブロック(4) として表面に多数の筋状凹部模様(5A,5B,5C,5D) が種々の方向で形成されている異方向模様ブロック(4C,4F) が全体的または部分的に配置されている建築板(1) を提供するものである。
一般に該異方向模様ブロック(4C)の表面には、多数の筋状凹部模様(5A,5B) が縦横二方向で形成されているか、該異方向模様ブロック(4F)の表面には、多数の筋状凹部模様(5C,5D) が右上り斜め方向と左上り斜め方向とで形成されている。そして例えば該ブロック調模様は、表面に多数の筋状凹部模様(5B)が縦方向に形成されている縦方向模様ブロック(4B)と、表面に多数の筋状凹部模様(5A)が横方向に形成されている横方向模様ブロック(4A)と、表面に多数の筋状凹部模様(5A,5B) が縦横二方向で形成されている異方向模様ブロック(4C)とがランダムに縦横に配列されている。
【０００６】
【作用】
本発明の建築板(1) において、ブロック調模様に使用される異方向模様ブロック(4C,4F) では、表面の筋状凹部(5A,5B,5C,5D) 模様が種々な方向で形成されているので、１つの凸ブロック(4C,4F) において陰影、表情が細かく異なり、繊細な面白味のある意匠になる。
したがってこのような異方向模様ブロック(4C,4F) をブロック調模様の各所に配すれば、ブロック調模様に好ましい変化を与える。
【０００７】
【発明の実施の形態】
本発明を図１〜図２に示す一実施例によって以下に説明すれば、建築板(1) の表面に縦横目地溝(2,3) によって複数個の凸ブロック(4) が区画され、縦横に配列されている。
該凸ブロック(4) としては、図２イに示すように表面に筋状凹部(5A)を横方向に多数設けたもの(4A)、図２ロに示すように表面に筋状凹部(5B)を縦方向に多数設けたもの(4B)、図２ハに示すように表面に筋状凹部(5A,5B) を縦横二方向に設けたもの(4C)（異方向模様ブロック）の３種類がある。該３種類の凸ブロック(4A,4B,4C)の各縦断面拡大図を図３イ．ロ．ハに示す
更に上記ブロック調模様にあっては、横目地溝(3) は板全巾にわたって直線状に連続し、縦目地溝(2) は各段で断続してその位置が上下重ならないよう互い違いにされている。
【０００８】
上記建築板(1) は、例えば木片、木粉、木質パルプ、木質繊維束、木毛等の木質補強材を混合したセメント板である木質セメント板を材料とする。
上記建築板(1) において、図２に示すように各凸ブロック(4A,4B,4C)に斜め左上から光が当たった場合、凸ブロック(4A)にあっては、横方向の筋状凹部(5A)の上側が暗、下側が明、左端が暗、右端が明となり、凸ブロック(4B)にあっては、縦方向の筋状凹部(5B)の左側が暗、右側が明、上端が暗、下端が明となる。また凸ブロック(4C)にあっては、上記縦横方向の筋状凹部(5A,5B) が形成されているから、上側が暗、下側が明、左端が暗、右端が明の横筋状凹部(5A)と、左側が暗、右側が明、上端が暗、下端が明の縦筋状凹部(5B)とが入りまじり、繊細な陰影が付与される。このように光の当る方向によって凸ブロック毎に明暗部分が変化し、したがって陰影、表情が変化する。
かように該建築板(1) 表面には凸ブロック(4A,4B) 単位で陰影、表情が異なる大まかな意匠に一つの凸ブロック(4C)内で陰影、表情が異なる繊細な意匠が散りばめられ、そしてこのような陰影、表情は建築板(1) に照射される太陽光等の方向によって種々に変化する面白味のある意匠が付される。
【０００９】
上記実施例以外、本発明の建築板(1) 表面のブロック調模様にあっては、図４イ、ロ、ハに示すように多数の筋状凹部(5C)を右上り斜め方向に設けたもの(4D)、多数の筋状凹部(5D)を左上り斜め方向に設けたもの(4E)、多数の筋状凹部(5C,5D) を右上りおよび左上り斜めに設けたもの(4F)（異方向模様ブロック）等を選択してもよい。
【００１０】
更に本発明では、図５に示すように凸ブロック(4A)の横方向筋状凹部(5A)を横方向に隣接する２つの凸ブロック(4A,4A) にまたがって延長したり、図６に示すように凸ブロック(4B)の縦方向筋状凹部(5B)を縦方向に隣接する２つの凸ブロック(4B,4B) にまたがって延長してもよい。凸ブロック(4C,4D,4E,4F) にあっても同様に筋状凹部を２つの隣接する凸ブロックにまたがって延長してもよい。
【００１１】
更に筋状凹部は直線状、みゝず状、湾曲状、細巾状、太巾状、異巾状等の任意の形状がとられてよいし、大きさ、長さも種々とられてよい。また例えば図７に示すようにクレーター状の無方向凹部(5E)が混在せしめられてもよい。該無方向凹部(5E)の大きさ、形状も種々とられてよい。図７には縦方向筋状凹部(5B)を有する凸ブロック(4B)を示したが、このような無方向凹部(5E)は凸ブロック(4A,4C,4D,4E,4F)に混在せしめられてもよいことは勿論である。更に図３イ、ロ、ハに示すように凹部(5A,5B,5C,5D,5E)の深さは任意に設定され、深浅の凹部が混在されてもよいし、１つの凹部で深浅が設けられてもよい。
【００１２】
【発明の効果】
本発明にあっては、建築板表面のブロック調模様を構成する複数個の凸ブロックの全部または一部を表面に多数の筋状凸部が種々の方向で形成されている異方向模様ブロックとするから、該異方向模様ブロックにより、該ブロック調模様に陰影、表情の繊細な変化が付与され、面白味があり市場価値の高い意匠を有する建築板が提供される。
【図面の簡単な説明】
図１〜図４は本発明の一実施例を示すものである。
【図１】建築板平面図
【図２】各凸ブロックの表面模様を示す平面図
イ：横筋状凹部模様
ロ：縦筋状凹部模様
ハ：縦横筋状凹部模様
【図３】各凸ブロックの縦断面拡大図
イ：図２イにおけるＡ−Ａ断面図
ロ：図２ロにおけるＢ−Ｂ断面図
ハ：図２ハにおけるＣ−Ｃ断面図
【図４】各凸ブロックの他の表面模様を示す平面図
イ：右上り斜め方向筋状凹部模様
ロ：左上り斜め方向筋状凹部模様
ハ：右上りおよび左上り斜め方向筋状凹部模様
図５〜図７は他の実施例を示すものである。
【図５】横方向筋状凹部が横方向に隣接する２つの凸ブロックにまたがって設けられている例を示す部分平面図
【図６】縦方向筋状凹部が縦方向に隣接する２つの凸ブロックにまたがって設けられている例を示す部分平面図
【図７】無方向凹部が散在している凸ブロックの平面図
【符号の説明】
1        建築板
2        縦目地溝
3        横目地溝
4        凸ブロック
4A       横方向筋状凹部模様ブロック
4B       縦方向筋状凹部模様ブロック
4C       縦横二方向筋状凹部模様ブロック
4D       右上り斜め方向筋状凹部模様ブロック
4E       左上り斜め方向筋状凹部模様ブロック
4F       右上りおよび左上り斜め方向筋状凹部模様ブロック
5A       横方向筋状凹部
5B       縦方向筋状凹部
5C       右上り斜め方向筋状凹部
5D       左上り斜め方向筋状凹部
【図１】
2004190436.tif 000003
【図２】
2004190436.tif 000004
【図３】
2004190436.tif 000005
【図４】
2004190436.tif 000006
【図５】
2004190436.tif 000007
【図６】
2004190436.tif 000008
【図７】
2004190436.tif 000009